(57)【要約】  【課題】  自己走査型ＬＥＤを用いたＬＥＤプリントヘッドにおいて、転送サイリスタ等からの不要光の出射を抑え、ゴーストのない良質な画像を形成する。  【解決手段】  点灯信号により点灯／非点灯が制御される複数のＬＥＤチップＬ１〜Ｌ１２８と、電源と、制御端に制御信号が入力されることによりオン状態を保持し、ＬＥＤチップＬ１〜Ｌ１２８を各々点灯可能状態とする複数のサイリスタＳ１〜Ｓ１２８と、サイリスタＳ１〜Ｓ１２８を順次オンさせるための駆動信号と、制御信号とをサイリスタＳ１〜Ｓ１２８へ出力するとともに、点灯信号をＬＥＤチップＬ１〜Ｌ１２８へ出力する信号発生回路２０とを備えており、信号発生回路２０は、点灯信号の送信終了後に、サイリスタＳ１〜Ｓ１２８がまとめてオフされるように駆動信号を設定する。  【選択図】  図２
2005271273.tif 000002
【特許請求の範囲】
【請求項１】
点灯信号により点灯／非点灯が制御される複数の発光素子と、
電力を供給する電源と、
前記複数の発光素子に対応して設けられ、前記電源からの電力を入力する入力端、入力した電力を出力する出力端、及び入力した電力を当該出力端から出力させるための制御信号を入力する制御端を有し、当該制御端に制御信号が入力されることによりオン状態を保持し、前記発光素子を各々点灯可能状態とする複数のスイッチ素子と、
前記スイッチ素子を順次オンさせるための駆動信号と、前記制御信号とを前記スイッチ素子へ出力するとともに、前記点灯信号を前記発光素子へ出力する駆動信号発生手段とを備え、
前記駆動信号発生手段は、前記点灯信号の送信終了後に、前記複数のスイッチ素子がまとめてオフされるように前記駆動信号を設定することを特徴とする発光素子アレイ駆動装置。
【請求項２】
前記駆動信号発生手段は、前記駆動信号が前記スイッチ素子をオフした後に、前記制御信号をローレベルに設定することを特徴とする請求項１記載の発光素子アレイ駆動装置。
【請求項３】
前記駆動信号発生手段は、前記点灯信号の送信終了後に、前記駆動信号をハイインピーダンス状態に設定することを特徴とする請求項１記載の発光素子アレイ駆動装置。
【請求項４】
前記駆動信号発生手段は、さらに前記制御信号をハイインピーダンス状態に設定することを特徴とする請求項３記載の発光素子アレイ駆動装置。
【請求項５】
前記駆動信号発生手段は、ライン同期信号に同期して、前記駆動信号と、前記制御信号と、前記点灯信号とを出力することを特徴とする請求項１記載の発光素子アレイ駆動装置。
【請求項６】
前記駆動信号発生手段は、前記駆動信号と前記制御信号とを共通化して出力することを特徴とする請求項１記載の発光素子アレイ駆動装置。
【請求項７】
前記スイッチ素子がターンオンする期間に、前記駆動信号発生手段からの駆動信号を前記電源の電圧よりも低い電圧または高い電圧のレベルシフト電圧に変更するレベルシフト手段をさらに備えたことを特徴とする請求項１記載の発光素子アレイ駆動装置。
【請求項８】
前記レベルシフト手段は、一端が前記スイッチ素子の出力端に接続され、他端はコンデンサが接続された信号線と抵抗が接続された信号線とに並列に分岐して前記駆動信号発生手段に接続されたことを特徴とする請求項７記載の発光素子アレイ駆動装置。
【請求項９】
感光体を露光する露光手段と、
前記露光手段から露光される光を前記感光体上に結像させる光学手段とを有し、
前記露光手段は、
点灯信号により点灯／非点灯が制御される複数の発光素子と、
電力を供給する電源と、
前記複数の発光素子に対応して設けられ、前記電源からの電力を入力する入力端、入力した電力を出力する出力端、及び入力した電力を当該出力端から出力させるための制御信号を入力する制御端を有し、当該制御端に制御信号が入力されることによりオン状態を保持し、前記発光素子を各々点灯可能状態とする複数のスイッチ素子と、
前記スイッチ素子を順次オンさせるための駆動信号と、前記制御信号とを前記スイッチ素子へ出力するとともに、前記点灯信号を前記発光素子へ出力する駆動信号発生手段とを備え、
前記駆動信号発生手段は、前記点灯信号の送信終了後に、すべての前記スイッチ素子がオフされるように前記駆動信号を設定することを特徴とするプリントヘッド。
【請求項１０】
前記駆動信号発生手段は、前記感光体が定常の動作状態にない場合に、すべての前記スイッチ素子がオフされるように前記駆動信号を設定することを特徴とする請求項９記載のプリントヘッド。
【請求項１１】
前記駆動信号発生手段は、前記感光体の停止時に、すべての前記スイッチ素子がオフされるように前記駆動信号を設定することを特徴とする請求項１０記載のプリントヘッド。
【請求項１２】
前記駆動信号発生手段は、前記駆動信号が前記スイッチ素子をオフした後に、前記制御信号をローレベルに設定することを特徴とする請求項９記載のプリントヘッド。
【請求項１３】
前記駆動信号発生手段は、ライン同期信号に同期して、前記駆動信号と、前記制御信号と、前記点灯信号とを出力することを特徴とする請求項９記載のプリントヘッド。
【請求項１４】
前記駆動信号発生手段は、前記感光体が停止時には、前記ライン同期信号の出力を禁止することを特徴とする請求項１３記載のプリントヘッド。
【発明の詳細な説明】
【技術分野】
【０００１】
本発明は、発光素子アレイ駆動装置等に関し、より詳しくは複写機やプリンタ等の画像形成装置のプリントヘッドに用いられる自己走査型の発光素子アレイを駆動する発光素子アレイ駆動装置等に関する。
【背景技術】
【０００２】
従来より、電子写真方式を用いた複写機、プリンタ等の画像形成装置では、例えばドラム状に形成された感光体（感光体ドラム）を一様に帯電し、この感光体ドラムを画像情報に基づいて制御された露光手段によって露光して感光体ドラム上に静電潜像を形成している。そして現像剤(トナー)を保持した現像手段によってこの静電潜像を現像してトナー像とし、このトナー像を記録紙に転写した後、これを定着することによって画像形成を行っている。
このような画像形成装置においては、装置の小型化を実現するために、機械的な駆動機構を必要としないＬＥＤプリントヘッド（ＬＰＨ）を露光手段として搭載した画像形成装置が開発されている。このＬＰＨは、ＬＥＤアレイとセルフォック（登録商標）レンズアレイ（ＳＬＡ）とが備えられ、ＬＥＤアレイの発光点をＳＬＡの入射側焦点に一致させるとともに、感光体ドラム表面をＳＬＡの出射側焦点に一致させるように配置して、ＬＥＤアレイから出射される光を感光体ドラム表面上に結像させるように構成されている。
【０００３】
近年、ＬＰＨにおいては、自己走査型ＬＥＤ（ＳＬＥＤ）を適用したものが提案されている。ＳＬＥＤは、選択的に発光点（ＬＥＤチップ）をオン・オフさせるスイッチに相当する部分として、サイリスタ構造が採用されている。このサイリスタ構造を採用することにより、ＬＰＨでは、スイッチ部を発光点と同一のチップ上に配置することが可能となるため、小型化を図ることが可能となる。さらには、スイッチ部のオン・オフタイミングを２本の信号線によって行うことができることから、データ線を共通化することができ、配線の簡素化も可能となるという利点を有している。
【０００４】
ここで、自己走査型ＬＥＤに関する従来技術として、２本の直線上に１個おきに発光素子アレイをジグザグ状に配置し、第１の直線上に配列された発光素子は、第１のクロックパルスのラインに接続され、第２の直線上に配列された発光素子は、第２のクロックパルスのラインに接続されて構成し、そして、第２の直線上に配列された発光素子を書き込み用として用い、第１の直線上に配列された発光素子を転送用のスイッチ素子として用いる自己走査型ＬＥＤに関する技術が存在する（例えば、特許文献１参照）。
【０００５】
【特許文献１】特開平８−２１６４４８号公報(第１０頁)
【発明の開示】
【発明が解決しようとする課題】
【０００６】
ところで、自己走査型ＬＥＤにおいてスイッチ素子として用いられる転送サイリスタでは、消費電力が低く、かつ高い周波数で動作が可能なガリウム砒素（ＧａＡｓ）系の化合物半導体が用いられることが多い。そのために、転送サイリスタがオン状態にあって電流が流れている状態にある場合には、転送サイリスタ自らも発光するという特性を有している。さらに、転送サイリスタへの電流の流れを制御するために設けられるダイオードも同様に発光する。そのため、このような転送サイリスタやダイオードからの不要光が感光体ドラムを露光しないように、転送サイリスタやダイオードが配置された部分（転送部）は遮光マスクによって光を遮断するように構成されている。
【０００７】
しかしながら、自己走査型ＬＥＤを用いたＬＥＤプリントヘッド（ＬＰＨ）のさらなる小型化を図ろうとする場合には、転送部の面積もそれに応じて小さく構成することから、転送部を覆う遮光マスクの面積も小さくなるのに加えて、遮光マスクの厚みを増やすにも一定の限界が生じる。そのために、転送部からの微少な光が漏れ光となって感光体ドラムを不要に露光してしまう場合があった。
このような漏れ光は、感光体ドラムが回転している場合には問題とならないが、感光体ドラムが停止している場合には、感光体ドラム上の同一の場所に長時間の露光が行なわれることとなるために、感光体上にその履歴が残り、感光体の帯電特性や露光特性がその部分だけ変化して、画像上にゴーストのような欠陥を生じさせる原因となるという新たな課題が生じた。
【０００８】
そこで本発明は、以上のような技術的課題を解決するためになされたものであり、その目的とするところは、自己走査型ＬＥＤを用いたＬＥＤプリントヘッドにおいて、転送サイリスタ等からの不要光の出射を抑え、ゴーストのない良質な画像を形成することにある。
【課題を解決するための手段】
【０００９】
かかる目的のもと、本発明の発光素子アレイ駆動装置は、点灯信号により点灯／非点灯が制御される複数の発光素子と、電力を供給する電源と、複数の発光素子に対応して設けられ、電源からの電力を入力する入力端、入力した電力を出力する出力端、及び入力した電力を出力端から出力させるための制御信号を入力する制御端を有し、制御端に制御信号が入力されることによりオン状態を保持し、発光素子を各々点灯可能状態とする複数のスイッチ素子と、スイッチ素子を順次オンさせるための駆動信号と、制御信号とをスイッチ素子へ出力するとともに、点灯信号を発光素子へ出力する駆動信号発生手段とを備えており、駆動信号発生手段は、点灯信号の送信終了後に、複数のスイッチ素子がまとめてオフされるように駆動信号を設定することを特徴している。
【００１０】
ここで、駆動信号発生手段は、駆動信号がスイッチ素子をオフした後に、制御信号をローレベルに設定することを特徴とすることができる。また、駆動信号発生手段は、点灯信号の送信終了後に、駆動信号をハイインピーダンス状態に設定することもできる。その際、駆動信号発生手段は、さらに制御信号をハイインピーダンス状態に設定することもできる。
また、駆動信号発生手段は、ライン同期信号に同期して、駆動信号と、制御信号と、点灯信号とを出力することを特徴とすることができる。さらに、駆動信号発生手段は、駆動信号と制御信号とを共通化して出力することを特徴とすることができる。
加えて、スイッチ素子がターンオンする期間に、駆動信号発生手段からの駆動信号を電源の電圧よりも低い電圧または高い電圧のレベルシフト電圧に変更するレベルシフト手段をさらに備えた構成とすることもできる。その場合に、レベルシフト手段は、一端がスイッチ素子の出力端に接続され、他端はコンデンサが接続された信号線と抵抗が接続された信号線とに並列に分岐して駆動信号発生手段に接続されたことを特徴とすることができる。
【００１１】
さらに、本発明をプリントヘッドとして捉え、本発明のプリントヘッドは、感光体を露光する露光手段と、露光手段から露光される光を感光体上に結像させる光学手段とを有し、露光手段は、点灯信号により点灯／非点灯が制御される複数の発光素子と、電力を供給する電源と、複数の発光素子に対応して設けられ、電源からの電力を入力する入力端、入力した電力を出力する出力端、及び入力した電力を出力端から出力させるための制御信号を入力する制御端を有し、制御端に制御信号が入力されることによりオン状態を保持し、発光素子を各々点灯可能状態とする複数のスイッチ素子と、スイッチ素子を順次オンさせるための駆動信号と、制御信号とをスイッチ素子へ出力するとともに、点灯信号を発光素子へ出力する駆動信号発生手段とを備えており、駆動信号発生手段は、点灯信号の送信終了後に、すべてのスイッチ素子がオフされるように駆動信号を設定することを特徴としている。
【００１２】
ここで、駆動信号発生手段は、感光体が定常の動作状態にない場合に、すべてのスイッチ素子がオフされるように駆動信号を設定することを特徴とすることができる。特に、感光体の停止時に、すべてのスイッチ素子がオフされるように駆動信号を設定することを特徴とすることもできる。
また、駆動信号発生手段は、駆動信号がスイッチ素子をオフした後に、制御信号をローレベルに設定することを特徴とすることができる。さらに、駆動信号発生手段は、ライン同期信号に同期して、駆動信号と、制御信号と、点灯信号とを出力することを特徴とすることもできる。特に、駆動信号発生手段は、感光体が停止時には、ライン同期信号の出力を禁止するように構成することもできる。
【発明の効果】
【００１３】
本発明の効果として、自己走査型ＬＥＤを用いたＬＥＤプリントヘッドにおいて、転送サイリスタ等からの不要光の出射を抑え、ゴーストのない良質な画像を形成することが可能となった。
【発明を実施するための最良の形態】
【００１４】
以下、添付図面に示す実施の形態に基づいて本発明について詳細に説明する。
［実施の形態１］
図１は本実施の形態のＬＥＤプリントヘッド（ＬＰＨ）の構成を説明する断面図である。図１において、本実施の形態のＬＰＨ１は、支持体としてのハウジング６１、露光手段を構成する自己走査型ＬＥＤアレイ（ＳＬＥＤ）６３とＳＬＥＤ６３を駆動する駆動信号発生手段としての駆動回路（信号発生回路）２０（後段の図２参照）とを搭載するＬＥＤ回路基板６２、ＳＬＥＤ６３からの光を感光体ドラム１０１表面に結像させる光学手段の一例としてのセルフォック（登録商標）レンズアレイ（ＳＬＡ）６４、ＳＬＡ６４を支持するとともにＳＬＥＤ６３を外部から遮蔽するＳＬＡホルダー６５、ハウジング６１をＳＬＡ６４方向に付勢する板バネ６６を備えている。ここで、ＳＬＥＤ６３と信号発生回路２０とが発光素子アレイ駆動装置１０（後段の図２参照）を構成している。
【００１５】
ハウジング６１は、アルミニウム、ＳＵＳ等のブロックまたは板金で形成され、ＬＥＤ回路基板６２を支持している。またＳＬＡホルダー６５は、ハウジング６１およびＳＬＡ６４を支持し、ＳＬＥＤ６３の発光点とＳＬＡ６４の焦点とが一致するように設定している。さらにＳＬＡホルダー６５はＳＬＥＤ６３を密閉するように構成されている。そのため、ＳＬＥＤ６３に外部からゴミが付着することを防ぐことができる。一方、板バネ６６は、ＳＬＥＤ６３およびＳＬＡ６４の位置関係を保持するように、ハウジング６１を介してＬＥＤ回路基板６２をＳＬＡ６４方向に付勢している。
このように構成されたＬＰＨ１は、調整ネジ（図示せず）によってＳＬＡ６４の光軸方向に移動可能に構成され、ＳＬＡ６４の結像位置(焦点)が感光体ドラム１０１表面上に位置するように調整される。
【００１６】
ＬＥＤ回路基板６２では、ＳＬＥＤ６３上のＬＥＤアレイが感光体ドラム１０１の軸線方向と平行になるように精度よく列状に配置されている。またＳＬＡ６４も同様であって、自己集束性のロッドレンズが感光体ドラム１０１の軸線方向と平行に精度よく列状に配置されている。そして画像信号に基づいてＳＬＥＤ６３から光が照射され、ＳＬＡ６４によって感光体ドラム１０１表面上に結像されて、静電潜像を形成する。なお、感光体として、感光体ドラム１０１にかかわらず、ベルト状の感光体を用いることもできる。
【００１７】
次に、図２に示すものは、本実施の形態のＬＰＨ１における発光素子アレイ駆動装置１０の構成を示した回路図である。発光素子アレイ駆動装置１０は、ＳＬＥＤ６３と信号発生回路２０とで構成されている。ＳＬＥＤ６３には、例えば１２８個のＳＬＥＤチップが直列に配列されているが、図２では、１つのＳＬＥＤチップだけを示している。なお、以下の説明では、便宜上ＳＬＥＤチップをＳＬＥＤ６３と呼ぶこととする。
図２に示したように、ＳＬＥＤ６３は、スイッチ素子としての１２８個のサイリスタＳ１〜Ｓ１２８、発光素子としての１２８個の発光ダイオード（ＬＥＤチップ）Ｌ１〜Ｌ１２８、１２８個のダイオードＤ１〜Ｄ１２８、１２８個の抵抗Ｒ１〜Ｒ１２８、さらには信号線に過剰な電流が流れるのを防止する転送電流制限抵抗Ｒ１Ａ、Ｒ２Ａで構成されている。なお、他のＳＬＥＤチップも同様に構成されている。
なお、ここでは、ＬＥＤチップＬ１〜Ｌ１２８への電流の供給を制御するサイリスタＳ１〜Ｓ１２８とダイオードＤ１〜Ｄ１２８とで主に構成される部分を転送部と呼ぶ。
【００１８】
本実施の形態の発光素子アレイ駆動装置１０において、各サイリスタＳ１〜Ｓ１２８のアノード端子（入力端）Ａ１〜Ａ１２８は電源ライン１１に接続されている。この電源ライン１１には電源電圧ＶＤＤ（ＶＤＤ＝５Ｖ）が供給される。
奇数番目サイリスタＳ１、Ｓ３、…、Ｓ１２７のカソード端子（出力端）Ｋ１、Ｋ３、…、Ｋ１２７には、転送電流制限抵抗Ｒ１Ａを介して信号発生回路２０から転送信号ＣＫ１が送信される。
また、偶数番目のサイリスタＳ２、Ｓ４、…、Ｓ１２８のカソード端子（出力端）Ｋ２、Ｋ４、…、Ｋ１２８には、転送電流制限抵抗Ｒ２Ａを介して信号発生回路２０から転送信号ＣＫ２が送信される。
【００１９】
一方、各サイリスタＳ１〜Ｓ１２８のゲート端子（制御端）Ｇ１〜Ｇ１２８は、各サイリスタＳ１〜Ｓ１２８に対応して設けられた抵抗Ｒ１〜Ｒ１２８を介して電源ライン１２に各々接続されている。なお、電源ライン１２は接地（ＧＮＤ）されている。
また、各サイリスタＳ１〜Ｓ１２８のゲート端子Ｇ１〜Ｇ１２８と、各サイリスタＳ１〜Ｓ１２８に対応して設けられたＬＥＤチップＬ１〜Ｌ１２８のゲート端子とは各々接続される。
さらに、各サイリスタＳ１〜Ｓ１２８のゲート端子Ｇ１〜Ｇ１２８には、ダイオードＤ１〜Ｄ１２８のカソード端子が接続されている。そして、サイリスタＳ１〜Ｓ１２７のゲート端子Ｇ１〜Ｇ１２７には、次段のダイオードＤ２〜Ｄ１２８のアノード端子に各々接続されている。すなわち、各ダイオードＤ２〜Ｄ１２８はゲート端子Ｇ２〜Ｇ１２７を挟んで直列接続されている。
ダイオードＤ１のアノード端子は転送電流制限抵抗Ｒ２Ａを介して信号発生回路２０に接続され、転送信号ＣＫ２が送信される。また、ＬＥＤチップＬ１〜Ｌ１２８のカソード端子は、信号発生回路２０に接続されて、点灯信号ΦＩが送信される。
【００２０】
さらには、ＳＬＥＤ６３には、転送部においてサイリスタＳ１〜Ｓ１２８およびダイオードＤ１〜Ｄ１２８を覆うように遮光マスク３０を配置している。これは、画像形成動作中に、オン状態にあって電流が流れている状態におけるサイリスタＳ１〜Ｓ１２８や、電流が流れている状態におけるダイオードＤ１〜Ｄ１２８からの発光を遮断し、不要光が感光体ドラム１０１を露光することを抑制するために設けている。
【００２１】
続いて、信号発生回路２０から出力されるＳＬＥＤ６３を駆動する信号（駆動信号）について図３に示すタイミングチャートを参照して説明する。なお、図３に示すタイミングチャートでは、すべてのＬＥＤチップが光書き込みを行う（発光する）場合について表記している。
（１）まず画像形成装置から信号発生回路２０にリセット信号（ＲＳＴ）が入力されることによって、信号発生回路２０では、転送信号ＣＫ１はハイレベル（「Ｈ」）、転送信号ＣＫ２はローレベル（「Ｌ」）に設定され、すべてのサイリスタＳ１〜Ｓ１２８はオフの状態に設定される（図３（ａ））。
（２）リセット信号（ＲＳＴ）の入力に続いて、信号発生回路２０から出力されるライン同期信号Ｌｓｙｎｃが「Ｈ」になることで（図３（ｂ））、ＳＬＥＤ６３の動作を開始する。ライン同期信号Ｌｓｙｎｃを入力すると、このライン同期信号Ｌｓｙｎｃに同期して、図３（Ｃ）に示すように、転送信号ＣＫ２を「Ｈ」とし、サイリスタＳ１のゲート端子Ｇ１に「Ｈ」を入力する（図３（ｃ））。このとき、ダイオードＤ１を介して、サイリスタＳ１のゲート端子Ｇ１の電圧（ゲート電圧Ｖｇ１）は上昇する。このとき、ゲート電圧Ｖｇ１は、Ｖｇ１＝５−Ｖｆとなる。ここで、ＶｆはＡｌＧａＡｓからなるダイオードＤ１の順方向電圧であり、約１．４Ｖであるため、Ｖｇ１≒３．６Ｖとなる。
ここで、ライン同期信号Ｌｓｙｎｃは、１ライン分の画像データの出力同期をとるための信号である。
【００２２】
（３）続いて、転送信号ＣＫ１を「Ｌ」とすると（図３（ｄ））、サイリスタＳ１がターンオンする。このときのゲート電圧Ｖｇ１、Ｖｇ２は、Ｖｇ１≒５Ｖ、Ｖｇ２≒３．６Ｖとなっている。
すなわち、転送信号ＣＫ２が「Ｈ」になると、転送信号ＣＫ１が供給される奇数番目のサイリスタＳ１、Ｓ３、…のうち、ゲート端子の電位が最も高い、すなわちサイリスタの閾値電圧以上のゲート電圧となるサイリスタＳ１がターンオンする。また、このとき転送信号ＣＫ２は「Ｈ」なので、偶数番目のサイリスタＳ２、Ｓ４、…のカソード端子Ｋ２、Ｋ４、…の電位は高いままとなり、サイリスタＳ２、Ｓ４、…はオフの状態が維持される。さらに、点灯信号ΦＩは図３（Ｄ）に示すように「Ｈ」なのでＬＥＤチップＬ１〜Ｌ１２８のカソード端子の電位が高くＬＥＤチップＬ１〜Ｌ１２８は点灯しない。
そして、点灯信号ΦＩが図３（Ｄ）に示すように「Ｈ」から「Ｌ」になると、ＬＥＤチップＬ１のカソード端子の電位が低くなり、ＬＥＤチップＬ１が点灯する（図３（ｅ））。
【００２３】
（４）次に、サイリスタＳ１がオンの時に、ＬＥＤチップＬ１を消灯するために点灯信号ΦＩを「Ｈ」とし、それと同時に、転送信号ＣＫ２を「Ｌ」にすると、転送信号ＣＫ２が供給される偶数番目のサイリスタＳ２、Ｓ４、…のうち、ゲート端子の電位が最も高い、すなわちサイリスタの閾値電圧以上のゲート電圧となるサイリスタＳ２がターンオンする（図３（ｆ））。
そして、図３（Ｂ）に示すように転送信号ＣＫ１が「Ｈ」になると、サイリスタＳ１はターンオフし、ゲート端子Ｇ１の電圧Ｖｇ１が抵抗Ｒ１によって徐々に低下するとともに、ゲート端子Ｇ２の電圧Ｖｇ２は上昇する（図３（ｇ））。
（５）そして、点灯信号端子ＩＤからの画像データに対応した点灯信号ΦＩが図３（Ｄ）に示すように「Ｈ」から「Ｌ」になると、ＬＥＤチップＬ２が点灯する（図３（ｈ））。
同様に、サイリスタＳ２がオンの時に、図３（Ｂ）に示すように転送信号ＣＫ１が再び「Ｌ」になり、点灯信号ΦＩが「Ｈ」になると、サイリスタＳ３がターンオンするとともに、ＬＥＤチップＬ２が消灯する（図３（ｉ））。
そして、図３（Ｃ）に示すように転送信号ＣＫ２が「Ｈ」になると、サイリスタＳ２はターンオフする（図３（ｊ））。
【００２４】
このように、ＳＬＥＤ６３では、転送信号ＣＫ１、ＣＫ２が共に「Ｌ」になる重なり期間（図３に示すＴａの期間）を設けつつ交互に「Ｈ」、「Ｌ」を切り替えることにより、サイリスタＳ１〜Ｓ１２８を順次オンさせるとともに、これに同期して点灯信号ΦＩを順次「Ｌ」にすることにより、ＬＥＤチップＬ１〜Ｌ１２８を順次点灯させることができる。このように、本実施の形態の発光素子アレイ駆動装置１０では、ＳＬＥＤ６３に接続する信号線としては、ライン同期信号Ｌｓｙｎｃ、転送信号ＣＫ１、ＣＫ２のための３本、点灯信号ΦＩのための１本、そして２本の電源線（そのうち１本は接地）の合計６本の信号線だけで駆動することが可能である。
【００２５】
（６）ＬＥＤチップＬ１〜Ｌ１２８を順次点灯させ、終端のＬＥＤチップＬ１２８が消灯した後の図３中の「転送部に電流を流す期間」の最後に、転送信号ＣＫ１、ＣＫ２を共に所定の時間だけ「Ｈ」の状態に保つ（図３（ｋ））。それによって、すべてのサイリスタＳ１〜Ｓ１２８がオフする。したがって、この状態においては、すべてのサイリスタＳ１〜Ｓ１２８に電流が流れることはないので、サイリスタＳ１〜Ｓ１２８を消灯（非点灯）の状態に保持することができる。
さらに、転送信号ＣＫ１、ＣＫ２を共に所定の時間だけ「Ｈ」の状態に保った後（「転送部に電流を流す期間」の後）、転送信号ＣＫ２を「Ｌ」とする（図３中の「転送部に電流を流さない期間」）。これによって、ダイオードＤ１〜Ｄ１２８にも電流が流れることがないので、すべてのダイオードＤ１〜Ｄ１２８も非点灯の状態に保持することができる。
【００２６】
このように、本実施の形態のＬＰＨ１の発光素子アレイ駆動装置１０では、点灯信号ΦＩが出力されて画像形成が終了した後の、感光体ドラム１０１（図１参照）が回転を停止した状態を含んだ非定常動作時においては、ＳＬＥＤ６３の転送部に対して電流が印加されないように構成されている。このような構成によって、感光体１０１が回転を停止している状態では、ＬＥＤチップＬ１〜Ｌ１２８は勿論のこと、転写部に配置されたサイリスタＳ１〜Ｓ１２８およびダイオードＤ１〜Ｄ１２８にも電流が流れることはなく、サイリスタＳ１〜Ｓ１２８およびダイオードＤ１〜Ｄ１２８から光が出射されることがない。そのため、ＬＰＨ１のさらなる小型化を図ろうとする場合においては、転送部の面積もそれに応じて小さくなることから、転送部を覆う遮光マスク３０の面積も小さく、さらには遮光マスク３０の厚みも薄くなることを余儀なくされるとしても、転送部からの発光がなくなるので、感光体ドラム１０１が不要に露光されることを防ぐことができる。
【００２７】
また、本実施の形態のＬＰＨ１では、ライン同期信号Ｌｓｙｎｃに同期させて、転送信号ＣＫ１、ＣＫ２を送信し、転送動作および発光動作を行なっている。そして、感光体ドラム１０１の非定常動作時において、ライン同期信号Ｌｓｙｎｃの出力が禁止されるように構成されている。
図４は、ライン同期信号Ｌｓｙｎｃを生成させる構成を説明するブロック図である。図４に示したように、ライン同期信号ＬｓｙｎｃはＬｓｙｎｃ発生部４１２において生成され、Ｌｓｙｎｃ発生部４１２において生成されたライン同期信号ＬｓｙｎｃはＡＮＤ回路４１３に送信される。一方、画像形成装置の制御部４１１からは、感光体駆動部４１４に対して感光体ドラム１０１の駆動を制御する駆動制御信号が出力されるが、その感光体駆動部４１４への駆動制御信号とともに、ＡＮＤ回路４１３に対してＬｓｙｎｃ＿ＥＮＢ信号が送信される。そして、ライン同期信号ＬｓｙｎｃとＬｓｙｎｃ＿ＥＮＢ信号とは、ＡＮＤ回路４１３によって論理処理されてＬＰＨ１に送信されるように構成されている。
【００２８】
ここで、制御部４１１は、感光体ドラム１０１の駆動を開始する駆動開始信号を感光体駆動部４１４へ出力して、感光体駆動部４１４から感光体ドラム１０１が定速動作に達したことを通知する信号を受信した後に、Ｌｓｙｎｃ＿ＥＮＢ信号をローレベル（「Ｌ」）からハイレベル（「Ｈ」）に変換するように設定されている。したがって、Ｌｓｙｎｃ発生部４１２において生成されたライン同期信号Ｌｓｙｎｃは、感光体ドラム１０１が定速動作に達したことを条件として、ＬＰＨ１に送信されることとなる。
このように構成することによって、感光体ドラム１０１が停止している状態では、ライン同期信号Ｌｓｙｎｃが送信されず、ＬＥＤチップＬ１〜Ｌ１２８は発光しないので、感光体ドラム１０１上の同一の場所が露光されることが抑制され、画像上にゴーストのような欠陥を生じさせることを防ぐことが可能となる。
さらに加えて、点灯信号ΦＩが出力されて画像形成が終了した後では、感光体ドラム１０１（図１参照）が回転を停止する状態を含めた非定常動作時においては、ライン同期信号Ｌｓｙｎｃが送信されず、ＳＬＥＤ６３の転送部に対しても電流を印加しないように構成することによって、転写部に配置されたサイリスタＳ１〜Ｓ１２８およびダイオードＤ１〜Ｄ１２８からも光が出射されることがないので、画像上にゴーストのような欠陥のない高品質な画像を形成することが可能となる。
【００２９】
ところで、本実施の形態のＬＰＨ１では、サイリスタＳ１〜Ｓ１２８のゲート端子Ｇ１〜Ｇ１２８に送信する転送スタートビット信号と、偶数番目のサイリスタＳ２、Ｓ４、…、Ｓ１２８のカソード端子Ｋ２、Ｋ４、…、Ｋ１２８に送信される転送信号ＣＫ２との共通化を実現している。そのため、転送スタートビット信号をＳＬＥＤ６３に入力するためのパッドおよび配線をＬＥＤ回路基板６２上に設ける必要がない。それによって、ＬＰＨ１の小型化および低コスト化を一層推進することが可能となる。
【００３０】
以上説明したように、本実施の形態のＬＰＨ１の発光素子アレイ駆動装置１０では、点灯信号ΦＩが出力されて画像形成が終了した後の、感光体ドラム１０１が回転を停止した状態を含んだ非定常動作時においては、ＳＬＥＤ６３の転送部に対して電流が印加されないように構成されている。このように構成することで、感光体ドラム１０１が回転を停止している状態において、ＬＥＤチップＬ１〜Ｌ１２８は勿論のこと、転写部に配置されたサイリスタＳ１〜Ｓ１２８およびダイオードＤ１〜Ｄ１２８にも電流が流れることはないので、サイリスタＳ１〜Ｓ１２８およびダイオードＤ１〜Ｄ１２８から光が出射されることがない。そのため、ＬＰＨ１のさらなる小型化を図ろうとする場合においては、転送部の面積もそれに応じて小さくなることから、転送部を覆う遮光マスク３０の面積も小さく、さらには遮光マスク３０の厚みも薄くなることを余儀なくされるとしても、転送部からの発光がなくなるので、感光体ドラム１０１が不要に露光されることを防ぐことができる。その結果、感光体ドラム１０１が停止している場合において、不要光が感光体ドラム１０１上の同一の場所を長時間に亘って露光してしまうことによってゴーストのような露光履歴が画像欠陥として発生することを抑制し、高品質な画像を形成することが可能となる。
【００３１】
［実施の形態２］
実施の形態１では、電源電圧ＶＤＤが５Ｖで駆動するＳＬＥＤ６３を用いたＬＥＤプリントヘッド（ＬＰＨ）１について説明した。実施の形態２では、電源電圧ＶＤＤが３．３Ｖで駆動するＳＬＥＤ６３を用いたＬＥＤプリントヘッド（ＬＰＨ）１について説明する。近年シリコンチップは微細化が進み、より小さいチップ面積で多くの機能を搭載できるようになり、小型化、低コスト化が進んでいるが、例えば０．２５μｍ等の微細デザインルールを使用すると、Ｉ／Ｏ（入出力端子）の電源電圧は、トランジスタの耐圧との関係で３．３Ｖであることが必要となる。したがって、３．３Ｖで駆動できるＳＬＥＤ６３のメリットは大きいものとなる。尚、実施の形態１と同様な構成については同様な符号を用い、ここではその詳細な説明を省略する。
【００３２】
図５に示すものは、本実施の形態のＬＰＨ１における発光素子アレイ駆動装置５０の構成を示した回路図である。図５において、本実施の形態のＬＰＨ１は、ＳＬＥＤ６３、ＳＬＥＤ６３を駆動するための信号発生回路２１、さらにはＳＬＥＤ６３と信号発生回路２１との間に設けられたレベルシフト回路２２を備えている。なお、図５に示すように、ＳＬＥＤ６３は、電源電圧ＶＤＤとして３．３Ｖが供給されていることを除いては、実施の形態１におけるものと同様に構成されている。
【００３３】
ここで、レベルシフト回路２２を介して信号発生回路２１から出力されるＳＬＥＤ６３を駆動する信号（駆動信号）について図６に示すタイミングチャートを参照して説明する。なお、図６に示すタイミングチャートでは、すべてのＬＥＤが光書き込みを行う（発光する）場合について表記している。
（１）まず画像形成装置から信号発生回路２１にリセット信号（ＲＳＴ）が入力されることによって、信号発生回路２０では、転送信号ＣＫ１Ｃをハイレベル（「Ｈ」）、転送信号ＣＫ１Ｒを「Ｈ」として、転送信号ＣＫ１が「Ｈ」に設定され、また、転送信号ＣＫ２Ｃをローレベル（「Ｌ」）、転送信号ＣＫ２Ｒを「Ｌ」として、転送信号ＣＫ２がローレベル（「Ｌ」）に設定されて、すべてのサイリスタＳ１〜Ｓ１２８をオフの状態に設定される。（図６（ａ））。
（２）リセット信号（ＲＳＴ）に続いて、信号発生回路２１から出力されるライン同期信号Ｌｓｙｎｃが「Ｈ」になり（図６（Ａ））、ＳＬＥＤ６３の動作を開始する。そして、このライン同期信号Ｌｓｙｎｃに同期して、図６（Ｅ）、（Ｆ）、（Ｇ）に示すように、転送信号ＣＫ２Ｃおよび転送信号ＣＫ２Ｒを「Ｈ」として、転送信号ＣＫ２を「Ｈ」とする（図６（ｂ））。
（３）次に、図６（Ｃ）に示すように、転送信号ＣＫ１Ｒを「Ｌ」にすると（図６（ｃ））、レベルシフト回路２２では、図７に示したように点線矢印の方向へ電流が流れ、やがて転送信号ＣＫ１の電位がＧＮＤになる。転送信号ＣＫ１Ｃの電位は３．３Ｖなので、コンデンサＣ１の両端電位は３．３Ｖ（ＶＤＤ）となる。
【００３４】
（４）これに続いて、図６（Ｂ）に示すように、転送信号ＣＫ１Ｃを「Ｌ」にすると（図６（ｄ））、転送信号ＣＫ１の電位は、コンデンサＣ１に電荷が蓄積されているため、約−３．３Ｖになる。また、ゲートＧ１の電位（Ｖｇ１）は、Ｖｇ１＝ＣＫ２電位−Ｖｆ＝約１．９Ｖとなる。ここで、転送信号ＣＫ２電位＝約３．３Ｖであり、ＶｆはＡｌＧａＡｓからなるダイオードＤ１の順方向電圧であり、約１．４Ｖである。さらに、Φ１電位＝Ｇ１電位（Ｖｇ１）−Ｖｆ＝０．５Ｖとなる。このため、信号線Φ１と転送信号ＣＫ１との間に約３．８Ｖの電位差が生じる。
【００３５】
この状態においては、図８に示すように、ゲートＧ１→信号線Φ１→転送信号ＣＫ１のルートでサイリスタＳ１のゲート電流が流れ始める。その際に、信号発生回路２１のトライステートバッファＢ１Ｒをハイインピーダンス（Ｈｉｚ）にすることで、電流の逆流防止を行う。
その後、サイリスタＳ１のゲート電流により、Ｔｒ２がオンし、それによってＴｒ１のベース電流（Ｔｒ２のコレクタ電流）が流れ、Ｔｒ１がオンするという順序でサイリスタＳ１がオンし始め、ゲート電流が徐々に上昇する。それとともに、レベルシフト回路２２のコンデンサＣ１に電流が流れ込むことで、転送信号ＣＫ１の電位も徐々に上昇する。
【００３６】
（５）所定時間（転送信号ＣＫ１電位がＧＮＤ近傍になる時間）の経過後、信号発生回路２１のトライステートバッファＢ１Ｒを「Ｌ」にする（図６（ｅ））。そうすると、ゲートＧ１電位が上昇することによって信号線Φ１電位の上昇および転送信号ＣＫ１電位の上昇が生じ、それに伴いレベルシフト回路２２の抵抗Ｒ１Ｂ側に電流が流れ始める。その一方で、転送信号ＣＫ１電位が上昇するのに従い、レベルシフト回路２２のコンデンサＣ１に流れ込む電流は徐々に減少する。
そしてサイリスタＳ１が完全にオンし、定常状態になると各点の電位は図９に示したようになる。すなわち、サイリスタＳ１のオン状態を保持するための電流がレベルシフト回路２２の抵抗Ｒ１Ｂに流れるが、コンデンサＣ１には流れない。なお、転送信号ＣＫ１の電位は、ＣＫ１電位＝（３．３−Ｖｆ）×Ｒ１Ｂ／（Ｒ１Ａ＋Ｒ１Ｂ）である。
なお、このとき、図６（Ｂ）に示すように、信号発生回路２１のトライステートバッファＢ１Ｃをハイインピーダンス（Ｈｉｚ）に設定する（図６（ｅ））。
【００３７】
（６）サイリスタＳ１が完全にオンした状態で、図６（Ｈ）に示すように、点灯信号ＩＤを「Ｌ」にする（図６（ｆ））。このとき、ゲートＧ１電位＞ゲートＧ２電位（ゲートＧ１電位−ゲートＧ２電位＝１．４Ｖ）であるため、サイリスタ構造のＬＥＤチップＬ１のほうが早くオンし、点灯する。ＬＥＤチップＬ１がオンするのに伴って、信号線Φ１電位が上昇し、信号線Φ１電位＝ゲートＧ２電位＝１．９Ｖとなるため、ＬＥＤチップＬ２以降のＬＥＤはオンすることはない。すなわち、ＬＥＤチップＬ１、Ｌ２、Ｌ３、Ｌ４、…は、最もゲート電圧の高いＬＥＤチップＬ１のみがオン（点灯）することになる。
【００３８】
（７）次に、図６（Ｆ）に示すように、転送信号ＣＫ２Ｒを「Ｌ」にすると（図６（ｇ））、図６（ｃ）の場合と同様に電流が流れ、レベルシフト回路２２のコンデンサＣ２の両端に電圧が発生する。図６（ｇ）の終了直前の定常状態において、ゲートＧ２電位が１．９Ｖであるため、各点の電圧値は図６（ｃ）の場合とは若干異なるが、動作上影響はない。これは、図６（ｇ）の終了直前の定常状態では、信号線Φ２電位＝ゲートＧ２電位−Ｖｆ＝１．９Ｖ−１．４Ｖ＝０．５Ｖ程度あるため、図１０に示したように、点線矢印の方向にサイリスタＳ２にゲート電流が流れるが、これがわずかであるためサイリスタＳ２はオンしないからである。なお、この場合の転送信号ＣＫ２電位は、ＣＫ２電位＝０．５×Ｒ２Ｂ／（Ｒ２Ａ＋Ｒ２Ｂ）≒０．１５Ｖ程度である。
【００３９】
（８）図６（Ｅ）に示すように、この状態で転送信号ＣＫ２Ｃを「Ｌ」にすると（図６（ｈ））、サイリスタスイッチＳ２がターンオンする。
（９）そして、図６（Ｂ）、（Ｃ）に示すように、転送信号ＣＫ１Ｃ、ＣＫ１Ｒを同時に「Ｈ」にすると（図６（ｉ））、サイリスタスイッチＳ１はターンオフし、抵抗Ｒ１を通って放電することによってゲートＧ１電位は除々に下降する。その際、サイリスタスイッチＳ２のゲートＧ２は３．３Ｖになり、完全にオンする。したがって、点灯信号端子ＩＤからの画像データに対応した点灯信号ΦＩを「Ｌ」／「Ｈ」することで、ＬＥＤチップＬ２を点灯／非点灯させることが可能となる。なお、この場合ゲートＧ１の電位はすでにゲートＧ２の電位より低くなっているため、ＬＥＤチップＬ１がオンすることはない。
【００４０】
なお、この場合、図６（Ｂ）に示すように、信号発生回路２１のトライステートバッファＢ１Ｃがハイインピーダンス（Ｈｉｚ）に設定されているので（図６（ｅ）〜（ｈ））、ＣＫ１電位＝（３．３−Ｖｆ）×Ｒ１Ｂ／（Ｒ１Ａ＋Ｒ１Ｂ）ではあるが、レベルシフト回路２２のコンデンサＣ１はあまり充電されず、コンデンサＣ１には大きな電位差が生じることがない。そのため、転送信号ＣＫ１Ｃ、ＣＫ１Ｒを同時に「Ｈ」にした際に（図６（ｉ））、転送信号ＣＫ１に大きなスパイク電位が生じることを抑制できるので、抵抗Ｒ１Ｂを通って信号発生回路２１に瞬間的に大きな電流が流れることがなく、信号発生回路２１に過大な負荷がかかることを防ぐことができる。
【００４１】
すなわち、図６（ｉ）での転送信号ＣＫ１Ｃ、ＣＫ１Ｒを同時に「Ｈ」にする前に、転送信号ＣＫ１Ｃが「Ｌ」に設定されていると、レベルシフト回路２２のコンデンサＣ１の両端には、転送信号ＣＫ１の電位と同じ電位（３．３−Ｖｆ）×Ｒ１Ｂ／（Ｒ１Ａ＋Ｒ１Ｂ）が発生する。この状態で、転送信号ＣＫ１Ｃ、ＣＫ１Ｒを同時に「Ｈ」にすると（図６（ｉ））、図１１に示したように、点線矢印で示したような抵抗Ｒ１Ｂを通って信号発生回路２１に瞬間的に流れる大きな電流が発生して、信号発生回路２１に過大な負荷がかかることとなる。
それに対し、本実施の形態の発光素子アレイ駆動装置５０では、図６（ｉ）での転送信号ＣＫ１Ｃ、ＣＫ１Ｒを同時に「Ｈ」にする前において、信号発生回路２１のトライステートバッファＢ１Ｃがハイインピーダンス（Ｈｉｚ）に設定されているので、コンデンサＣ１には電流が流れ込まないために大きな電位差が生じることがない。そのため、転送信号ＣＫ１において大きなスパイク電位が発生することが抑制されるので、信号発生回路２１に大きな電流が流れる込むことが防止される。
【００４２】
（１０）上記した動作を順次行い、ＬＥＤチップＬ１〜Ｌ１２８を順次点灯させ、終端のＬＥＤチップＬ１２８が消灯した図６中の「転送動作期間」の後に、転送信号ＣＫ１Ｃ、ＣＫ１Ｒを「Ｈ」として転送信号ＣＫ１を「Ｈ」とし、さらに転送信号ＣＫ２Ｃ、ＣＫ２Ｒを「Ｈ」として転送信号ＣＫ２を「Ｈ」として、転送信号ＣＫ１および転送信号ＣＫ２を共に所定の時間だけ「Ｈ」の状態に保つ（図６中、「転送サイリスタをオフ」）。それによって、すべてのサイリスタＳ１〜Ｓ１２８がオフする。したがって、この状態においては、すべてのサイリスタＳ１〜Ｓ１２８に電流が流れることはないので、サイリスタＳ１〜Ｓ１２８を消灯（非点灯）の状態に保持することができる。
【００４３】
（１１）さらに、転送信号ＣＫ１、ＣＫ２を共に所定の時間だけ「Ｈ」の状態に保った後、転送信号ＣＫ２Ｃ、ＣＫ２Ｒを「Ｌ」として転送信号ＣＫ２を「Ｌ」とする（図６中、「転送部に電流を流さない期間」）。これによって、ダイオードＤ１〜Ｄ１２８にも電流が流れることがないので、すべてのダイオードＤ１〜Ｄ１２８も非点灯の状態に保持することができる。
【００４４】
このように、本実施の形態のＬＰＨ１の発光素子アレイ駆動装置５０においても、点灯信号ΦＩが出力されて画像形成が終了した後の、感光体ドラム１０１（図１参照）が回転を停止した状態を含んだ非定常動作時においては、ＳＬＥＤ６３の転送部に対して電流が印加されないように構成されている。このような構成によって、感光体ドラム１０１が回転を停止している状態では、ＬＥＤチップＬ１〜Ｌ１２８は勿論のこと、転写部に配置されたサイリスタＳ１〜Ｓ１２８およびダイオードＤ１〜Ｄ１２８にも電流が流れることはなく、サイリスタＳ１〜Ｓ１２８およびダイオードＤ１〜Ｄ１２８から光が出射されることがない。そのため、ＬＰＨ１のさらなる小型化を図ろうとする場合においては、転送部の面積もそれに応じて小さくなることから、転送部を覆う遮光マスク３０の面積も小さく、さらには遮光マスク３０の厚みも薄くなることを余儀なくされるとしても、転送部からの発光がなくなるので、感光体ドラム１０１が不要に露光されることを防ぐことができる。
その結果、感光体ドラム１０１が停止している場合において、不要光が感光体ドラム１０１上の同一の場所を長時間に亘って露光してしまうことによってゴーストのような露光履歴が画像欠陥として発生することを抑制し、高品質な画像を形成することが可能となる。
【００４５】
なお、図６に示した信号発生回路２１から出力される駆動信号では、「転送サイリスタをオフ」の期間において、転送信号ＣＫ２Ｃ、ＣＫ２Ｒを「Ｈ」として転送信号ＣＫ２を「Ｈ」とすることで、すべてのサイリスタＳ１〜Ｓ１２８をオフし、「転送部に電流を流さない期間」において、転送信号ＣＫ２Ｃ、ＣＫ２Ｒを「Ｌ」として転送信号ＣＫ２を「Ｌ」とすることで、すべてのダイオードＤ１〜Ｄ１２８も非点灯の状態に保持している。
本実施の形態のＬＰＨ１の発光素子アレイ駆動装置５０では、このような駆動信号の設定の他に、図１２に示すように、駆動信号の「転送動作期間」の経過後に、信号発生回路２１のトライステートバッファＢ２Ｃ、Ｂ２Ｒをハイインピーダンス（Ｈｉｚ）に設定することで、「転送部に電流を流さない期間」において、転送信号ＣＫ２Ｃ、ＣＫ２ＲをＨｉｚとして転送信号ＣＫ２をＨｉｚに設定することもできる。このように、転送信号ＣＫ２をＨｉｚと設定することで、サイリスタＳ１〜Ｓ１２８を通る電流路は遮断されるので、すべてのサイリスタＳ１〜Ｓ１２８をオフすることができる。それと同時に、ダイオードＤ１〜Ｄ１２８への電流も遮断することができる。それによって、サイリスタＳ１〜Ｓ１２８とダイオードＤ１〜Ｄ１２８とを同時に消灯（非点灯）の状態に設定することが可能となる。なお、この場合、転送信号ＣＫ１が送信される信号線Φ１にはダイオードが接続されていないため、転送信号ＣＫ１は「Ｈ」に設定しておくことができる。
【００４６】
次に、本実施の形態に係る発光素子アレイ駆動装置５０をＬＰＨ１に搭載した場合の回路について説明する。図１３は、発光素子アレイ駆動装置５０をＬＰＨ１に搭載した回路図である。図１３では、Ａ３サイズの記録用紙に６００ｄｐｉ（dot per inch）で記録する場合であって、７４２４ｄｏｔのＬＥＤ素子を駆動する構成である。すなわち、本実施の形態のＬＰＨ１は、１２８個のＬＥＤを組み込んだＳＬＥＤ６３を５８チップ搭載している。
図１３において、ＬＰＨ１の信号発生回路２１には６組の駆動部が配設されている。１つの駆動部から出力される転送信号ＣＫ１、ＣＫ２は、１本当たり９〜１０チップのＳＬＥＤ６３を駆動する。また、画像データに対応した点灯信号ΦＩは、ＳＬＥＤ６３の１チップ当たり１本出力され、６個の駆動部から全部で５８の点灯信号ΦＩ１〜ΦＩ５８が出力される。そして、それぞれの駆動部ごとにレベルシフト回路２２が配置されている。
このように構成することによって、転送信号ＣＫ１、ＣＫ２の信号線数を少なくしながら、すべてのＬＥＤ素子を安定して低電圧駆動することが可能となる。
【００４７】
ところで、本実施の形態のＬＰＨ１の発光素子アレイ駆動装置５０は電源電圧を３．３Ｖで駆動することができることから、０．２５μｍ等の微細デザインルールでの設計が可能となる。このため、チップ面積を小さく構成することができ、またドライバＩＣの数も削減することができる。そのため、本実施の形態のＬＰＨ１では、発光素子アレイ駆動装置５０をＬＥＤ回路基板６２に実装することが可能となり、しかもＬＥＤ回路基板６２の感光体ドラム１０１円周方向の幅面積を短く構成することができるため、ＬＰＨ１の小型化を実現することができる。さらに、レベルシフト回路２２は、コンデンサと抵抗だけで構成することができるため、安価に製造することが可能となる。
【産業上の利用可能性】
【００４８】
本発明の活用例として、電子写真方式を用いた複写機、プリンタ等の画像形成装置において、例えば感光体ドラムを露光して静電潜像を形成する印字ヘッドに適用することができる。
【図面の簡単な説明】
【００４９】
【図１】ＬＥＤプリントヘッド（ＬＰＨ）の構成を説明する断面図である。
【図２】実施の形態１における発光素子アレイ駆動装置の構成を示した回路図である。
【図３】ＳＬＥＤを駆動する駆動信号のタイミングチャートである。
【図４】ライン同期信号Ｌｓｙｎｃを生成させる構成を説明するブロック図である。
【図５】実施の形態２における発光素子アレイ駆動装置の構成を示した回路図である。
【図６】ＳＬＥＤを駆動する駆動信号のタイミングチャートである。
【図７】初期状態から転送信号ＣＫ１Ｒを「Ｌ」、にした場合のレベルシフト回路の電流の流れを説明する図である。
【図８】転送信号ＣＫ１Ｃを「Ｌ」、転送信号ＣＫ１Ｒをハイインピーダンス（Ｈｉｚ）にした直後の電流の流れを説明する図である。
【図９】サイリスタＳ１が完全にオンした定常状態での各部の電位を説明する図である。
【図１０】サイリスタＳ２にゲート電流が流れる状態を説明する図である。
【図１１】転送信号ＣＫ１Ｃが「Ｌ」に設定されている場合の信号発生回路に流れる電流を説明する図である。
【図１２】ＳＬＥＤを駆動する駆動信号のタイミングチャートである。
【図１３】発光素子アレイ駆動装置をＬＰＨに搭載した回路図である
【符号の説明】
【００５０】
１…ＬＥＤプリントヘッド（ＬＰＨ）、１０,５０…発光素子アレイ駆動装置、１１,１２…電源ライン、２０,２１…信号発生回路、２２…レベルシフト回路、６１…ハウジング、６２…ＬＥＤ回路基板、６３…ＳＬＥＤ、６４…ＳＬＡ、６５…ＳＬＡホルダー、６６…板バネ、Ｓ１〜Ｓ１２８…サイリスタ、Ａ１〜Ａ１２８…アノード端子、Ｋ１〜Ｋ１２８…カソード端子、Ｇ１〜Ｇ１２８…ゲート端子、Ｄ１〜Ｄ１２８…ダイオード、Ｌ１〜Ｌ１２８…発光ダイオード（ＬＥＤチップ）、Ｒ１Ａ, Ｒ２Ａ…転送電流制限抵抗、Ｒ１Ｂ,Ｒ２Ｂ,ＲＩＤ,Ｒ１〜Ｒ１２８…抵抗、Ｃ１,Ｃ２…コンデンサ、１０１…感光体ドラム、４１１…制御部、４１２…Ｌｓｙｎｃ発生部、４１３…ＡＮＤ回路、４１４…感光体駆動部
【図１】
2005271273.tif 000003
【図２】
2005271273.tif 000004
【図３】
2005271273.tif 000005
【図４】
2005271273.tif 000006
【図５】
2005271273.tif 000007
【図６】
2005271273.tif 000008
【図７】
2005271273.tif 000009
【図８】
2005271273.tif 000010
【図９】
2005271273.tif 000011
【図１０】
2005271273.tif 000012
【図１１】
2005271273.tif 000013
【図１２】
2005271273.tif 000014
【図１３】
2005271273.tif 000015